(57)【要約】【課題】各種携帯電話会社やＰＤＡ等の各種電子メールに対応可能にし特定の人からだけでなく一般の人からも災害情報を収集できる信頼性の高い災害位置情報管理システムを得る。【解決手段】被災現場７の撮影画像情報及び位置情報を添付して送信してきた各種電子メール８を保存するメールサーバ４、電子地図５０９及び災害情報５１０を保管する地図・災害情報データベース５０８、各種電子メール８に対応したプロファイル５０５を保管したプロファイルデータベース５０４、電子メール８に添付の撮影画像情報を地図・災害情報データベース５０８に保管する電子メール添付情報処理部５０２、及び電子メール８に添付の前記位置情報から対応プロファイル５０５によって被災現場７の緯度経度情報を得る位置情報解析部５０３を備え、緯度経度情報により被災現場の位置及び撮影画像を電子地図５０９に関連付ける。【選択図】図２
2006243778.tif 000002
【特許請求の範囲】
【請求項１】
被災現場の撮影画像情報及び位置情報を添付して送信してきた各種電子メールを保存するメールサーバ、電子地図及び災害情報を保管する地図・災害情報データベース、各種電子メールに対応したプロファイルを保管したプロファイルデータベース、前記メールサーバに保存された電子メールに添付の前記撮影画像情報を前記地図・災害情報データベースに保管する電子メール添付情報処理部、及び前記メールサーバに保存された電子メールに添付の前記位置情報から前記プロファイルデータベースに保管された対応プロファイルによって前記被災現場の緯度経度情報を得る位置情報解析部を備え、前記緯度経度情報により前記被災現場の位置及び撮影画像を前記電子地図に関連付ける災害位置情報管理システム。
【請求項２】
請求項１に記載の災害位置情報管理システムにおいて、電子メールを受信し保存する災害情報用メールボックスを前記メールサーバに複数個設けると共に、前記災害情報用メールボックスの各々に対して関連付けられた同報メールリストを用いて、電子メール受信時に同報メールを前記メールリストの各宛先に送信する同報メール送信部を設けたことを特徴とする災害位置情報管理システム。
【発明の詳細な説明】
【技術分野】
【０００１】
この発明は、例えば水道施設損壊等の災害が発生した場合、その被害現場の位置及び被害現場の撮影画像情報を、携帯電話等の電子メールで収集し、災害発生の位置・災害状況情報を管理し、災害復旧活動の支援などに使用される災害位置情報管理システムに関するものである。
【背景技術】
【０００２】
コンピュータを利用した災害位置情報管理システムでは、災害発生時の状況把握のため、いつ、どこで、どういう被害が発生したかをいち早く、正確に情報収集し、これをユーザに提供する必要がある。
【０００３】
災害位置情報管理システムではないが従来の移動体管理システムとして、例えば、特開２００４−７０４９８号公報（特許文献１）に記載の移動体管理システムでは、ＧＰＳ受信機付き携帯電話からの位置情報付き電子メールを受信し、位置情報解析部によって携帯電話の現在位置を特定している。
【０００４】
また、災害位置情報管理システムではないが、ネットワーク上の画像サーバに撮像画像を記録する従来の一般的な撮影画像記録方法として、例えば、特開２００３−１６９２８７号公報（特許文献２）に記載の撮影画像の記録方法では、携帯電話で撮影した画像を電子メールで画像サーバ装置に送信し、携帯電話サービス会社の提供するエリア情報から自動取得した撮影位置情報と共に画像サーバ装置に保存している。
【０００５】
【特許文献１】特開２００４−７０４９８号公報（図１及びその説明）
【特許文献２】特開２００３−１６９２８７号公報（図１及びその説明）
【発明の開示】
【発明が解決しようとする課題】
【０００６】
前記特許文献１や特許文献２以外にも、例えば、写真撮影機能、位置測定機能を持ったＰＤＡ(Personal DigitalAssistance)からでも写真・位置情報付き電子メールは送信可能であるが、何れにせよ、従来の技術では、複数の携帯電話会社や、複数種類のＰＤＡからのメール送信は想定されていないため、一旦、利用する携帯電話会社やＰＤＡを決めてシステムを構築してしまうと、他の携帯電話会社やＰＤＡに切り替えたり、今後新たな携帯電話会社から写真撮影機能、位置測定機能付きの携帯電話が提供された時にそれを利用したり、既存の携帯電話についても、位置情報を電子メールで送信する際の様式が変更されたりした場合に、位置情報解析部をその都度改造しなければならず、そのためのコストが発生するという課題がある。特に、災害位置情報管理システムの場合は、災害がいつ発生するかわからない上、災害情報は特定の人ではなく一般の人からも提供されることから、前記課題は、システムの性能や信頼性を確保するためにも重要な課題の一つとなる。
【０００７】
この発明は、前述のような実情に鑑みてなされたもので、各種携帯電話会社やＰＤＡ等の各種電子メールに対応可能にし特定の人からだけでなく一般の人からも災害情報を収集できる信頼性の高い災害位置情報管理システムを得ることを目的とするものである。
【課題を解決するための手段】
【０００８】
この発明に係る災害位置情報管理システムは、被災現場の撮影画像情報及び位置情報を添付して送信してきた各種電子メールを保存するメールサーバ、電子地図及び災害情報を保管する地図・災害情報データベース、各種電子メールに対応したプロファイルを保管したプロファイルデータベース、前記メールサーバに保存された電子メールに添付の前記撮影画像情報を前記地図・災害情報データベースに保管する電子メール添付情報処理部、及び前記メールサーバに保存された電子メールに添付の前記位置情報から前記プロファイルデータベースに保管された対応プロファイルによって前記被災現場の緯度経度情報を得る位置情報解析部を備え、前記緯度経度情報により前記被災現場の位置及び撮影画像を前記電子地図に関連付けるものである。
【発明の効果】
【０００９】
この発明による災害位置情報管理システムは、被災現場の撮影画像情報及び位置情報を添付して送信してきた各種電子メールを保存するメールサーバ、電子地図及び災害情報を保管する地図・災害情報データベース、各種電子メールに対応したプロファイルを保管したプロファイルデータベース、前記メールサーバに保存された電子メールに添付の前記撮影画像情報を前記地図・災害情報データベースに保管する電子メール添付情報処理部、及び前記メールサーバに保存された電子メールに添付の前記位置情報から前記プロファイルデータベースに保管された対応プロファイルによって前記被災現場の緯度経度情報を得る位置情報解析部を備え、前記緯度経度情報により前記被災現場の位置及び撮影画像を前記電子地図に関連付けるようにしたので、各種携帯電話会社やＰＤＡ等の各種電子メールに対応可能であり、特定の人からだけでなく一般の人からも災害情報を収集できる信頼性の高い災害位置情報管理システムを得ることができる効果がある。
【発明を実施するための最良の形態】
【００１０】
実施の形態１．
以下この発明の実施の形態１を図１〜図３により説明する。図１は災害位置情報管理システムの一例を示すブロック図、図２は災害位置情報管理システムが使用される状況の事例を示すブロック図、図３は災害位置情報管理システムの動作の事例を示すフロー図である。なお、各図中、同一符合は同一部分を示す。
【００１１】
図１において、災害位置情報管理システム１は、被災現場７において位置情報及び写真、説明文を含んだ災害情報メール８を送信できる携帯電話２と、携帯電話２から発信された災害情報メール８をファイアウォール３経由で受信し保存する災害情報用メールボックス４０１を備えたメールサーバ４と、災害情報用メールボックス４０１を定期的にチェックし、災害情報メール８を受信していた場合これを取得する電子メールチェック部５０１と、前記災害情報メール８から位置情報、写真、説明文を抽出する電子メール添付情報処理部５０２と、携帯電話会社毎、ＰＤＡの機種毎に異なる、電子メール中の位置情報から緯度経度情報を抽出する方法を記載したプロファイル（Profile）５０５を蓄えるプロファイルデータベース５０４と、プロファイルデータベース５０４上のプロファイル５０５を編集・削除したり、新規にプロファイルを登録することが可能なプロファイルエディタ部５０６と、電子メール添付情報処理部５０２によって抽出した位置情報から、プロファイル５０５を用いて緯度経度情報を取得する位置情報解析部５０３と、電子地図５０９及び災害情報５１０を蓄えておく地図・災害情報データベース５０８と、前記緯度経度情報を用いて、電子メール添付情報処理部５０２によって抽出された前記写真、説明文を関連付ける形で電子地図５０９上に災害シンボルを登録する災害シンボル登録部５０７と、登録された災害シンボル及び写真、説明文を種々の検索条件等によって検索、表示可能な災害情報表示機能６とから構成される。
【００１２】
なお、前記「災害シンボル」は、前記災害情報表示機能６の表示画面に地図と共に地図上に災害発生を表すシンボルを意味するが、「災害」等の文字を表示する場合も意味する。
【００１３】
また、前記「プロファイル（Profile）」とは、例えば、テキストファイル形式で管理する場合には、図４に示すようなものであり、例えば図５で示す災害情報メールを受信した場合には、図４のプロファイルによれば、発信者のメールアドレスが「*@domainname．ne.jp」に一致するため、プロファイルの適用対象であることが判明し、輝度（latitude）は「lat=」と「&」とに挟まれた文字列“+34.39.12.07”、経度（longitude）は「lon=」と「&」とに挟まれた文字列“+135.10.37.94”が抽出され、緯度は北緯34度39分12秒07、経度は東経135度10分37秒94と判別できる。
【００１４】
前記「緯度経度情報を用いて、電子メール添付情報処理部５０２によって抽出された前記写真、説明文を関連付ける形で電子地図５０９上に災害シンボルを登録する」とは、例えば、図６に示す電子メール添付情報処理部５０２によって抽出された位置情報から位置情報解析部によって抽出された緯度経度情報と、電子メール添付情報処理部５０２によって抽出された写真データを災害位置情報管理サーバの特定のフォルダに格納した時の写真パスと、電子メール添付情報処理部５０２によって抽出された説明文とを合わせたものに、ユニークなＩＤを採番して、災害情報として地図・災害情報データベースで管理したものに対して、図７に示す災害シンボルの登録部によって電子地図上の前記抽出された緯度経度情報の示す位置に災害シンボルを登録する際に、前記採番したのと同じＩＤを付加する事により、図６の災害情報と図７の災害シンボルとを関連付けられる。
【００１５】
次に、図１に示す災害位置情報管理システムが使用される状況を、図２を用いて説明する。図２は、この発明の実施の形態１による災害位置情報管理システム１の利用状況の事例を示すブロック図であり、ファイアウォール３がインターネット９に接続され、携帯電話２から送信された被災現場の災害情報メール８がメールサーバ４で受信可能な状況を示している。
【００１６】
次に、災害位置情報管理システム１の動作を、図２と関連付けながら図３によって説明する。
【００１７】
災害による被災現場７で、携帯電話２の電子メール作成機能２０３により、被災状況の説明文を作成し、これに、写真撮影機能２０１で被災現場を撮影した写真と、位置測定機能２０２で取得した位置情報とを添付した災害情報メール８を作成する（ステップＳ１）。  
【００１８】
ステップＳ１において作成された災害情報メール８を、電子メール送信機能２０４を使用して、メールサーバ４の災害情報用メールボックス４０１に送信する（ステップＳ２）。
【００１９】
ステップＳ２において電子メール送信機能２０４により送信された災害情報メール８は、インターネット９経由、ファイアウォール３経由で、メールサーバ４の災害情報用メールボックス４０１で受信される（ステップＳ３）。
【００２０】
次に、災害位置情報管理サーバ５では、電子メールチェック部５０１が定期的に災害情報用メールボックス４０１に災害情報メールが届いているかどうかを確認する（ステップＳ４）。
【００２１】
電子メールチェック部５０１によって災害情報メール８の受信が確認されると、電子メールチェック部５０１は、災害情報メール８を、メールサーバ４から取得する（ステップＳ５）。
【００２２】
電子メールチェック部５０１で取り込まれた災害情報メール８から、電子メール添付情報処理部５０２によって、位置情報と写真、説明文が抽出される（ステップＳ６）。
【００２３】
電子メール添付情報処理部５０２によって抽出された位置情報に対し、位置情報解析部５０３は、プロファイルデータベース５０４内に適合するプロファイルが存在するかどうか確認する（ステップＳ７）。
【００２４】
位置情報解析部５０３は、適合するプロファイル５０５の存在を確認できると、当該位置情報解析のプロファイル５０５を用いて位置情報を解析し、緯度経度情報に変換する（ステップＳ８）。
【００２５】
災害シンボル登録部５０７は、前記ステップＳ８における緯度経度情報を基に災害シンボルを電子地図５０９上に登録し（ステップＳ９）、更に、前記ステップＳ６で電子メール添付情報処理部５０２によって抽出された写真と説明文とを、前記災害シンボルと関連付けて地図・災害情報データベース５０８に、災害情報５１０として登録する（ステップＳ１０）。
【００２６】
なお、前記ステップＳ７において、前記位置情報に適合するプロファイルがプロファイルデータベース５０４内に存在しなかった場合は、写真と説明文のみを地図・災害情報データベース５０８に登録する（ステップＳ１１）。
【００２７】
次に、前記ステップＳ１０において地図・災害情報データベース５０８に格納された災害シンボル及び写真、説明文は、エンドユーザから表示の要求（ステップＳ１２）があった場合は、災害情報表示機能６により表示される（ステップＳ１３）。
【００２８】
また、新たな携帯電話会社の携帯電話を使用する場合や、既存の携帯電話の電子メールへの位置情報の添付様式が変更になった場合は、プロファイルエディタ部５０６により、新規にプロファイルを作成したり、既存のプロファイルを編集したりすることが可能である。
【００２９】
この発明の実施の形態１は前述のように構成され、前述のように動作するので、携帯電話会社や携帯電話、ＰＤＡの機種にとらわれない災害位置情報管理システムが構築可能となり、携帯電話の故障等による機種変更や、より安価な携帯電話会社、サービスへの切り替えにも、改造コストを掛けずに柔軟に対応できる。
【００３０】
前述のように、この発明の実施の形態１の災害位置情報管理システム１は、電子地図５０９と災害情報５１０とを蓄える地図・災害情報データベース５０８と、プロファイル５０５を蓄えるプロファイルデータベース５０４を持ち、位置測定機能２０２、写真撮影機能２０１、電子メール作成機能２０３、電子メール送信機能２０４を備えた携帯電話２と、災害によって水道施設損壊が発生した現場(被災現場)７において、前記携帯電話２の電子メール作成機能２０４で水道施設損壊状況の説明文をメール本文とし、写真撮影機能２０１で撮影した前記被災現場の写真と、位置測定機能２０２で取得した位置情報を添付情報とした電子メール８を、電子メール送信機能２０４で災害情報用メールボックス４０１に送信すると、一定時間毎に前記災害情報用メールボックス４０１をチェックし、受信した電子メール８を取得する電子メールチェック部５０１と、前記電子メールチェック部５０１によって取得した電子メール８から説明文と写真、位置情報を抽出する電子メール添付情報処理部５０２と、前記電子メールを取得した災害情報用メールボックス４０１に対応するプロファイル５０５を用いて、前記位置情報から緯度・経度情報を抽出する位置情報解析部５０３と、前記地図・災害情報データベース５０８の電子地図５０９上の、前記緯度・経度情報によって特定される位置に、前記写真と説明文を関連付けて災害シンボルを登録する災害シンボル登録部５０７と、前記地図・災害情報データベース５０８に蓄えられた電子地図５０９と災害情報５１０とを様々な検索機能によって取得して表示することが可能な災害情報表示機能６とを備えることで、災害発生時に被害箇所の正確な位置、状況を記録し、また、これを検索、表示できる。
【００３１】
この発明の実施の形態１の災害位置情報管理システム１は、上位概念で換言すると、被災現場７の撮影画像情報及び位置情報を添付して送信してきた各種電子メール８を保存するメールサーバ４、電子地図５０９及び災害情報５１０を保管する地図・災害情報データベース５０８、各種電子メール８に対応したプロファイル５０５を保管したプロファイルデータベース５０４、前記メールサーバ４に保存された電子メール８に添付の前記撮影画像情報を前記地図・災害情報データベース５０８に保管する電子メール添付情報処理部５０２、及び前記メールサーバ４に保存された電子メール８に添付の前記位置情報から前記プロファイルデータベース５０４に保管された対応プロファイル５０５によって前記被災現場７の緯度経度情報を得る位置情報解析部５０３を備え、前記緯度経度情報により前記被災現場の位置及び撮影画像を前記電子地図５０９に関連付けるものである。
【００３２】
このような構成にすることにより、位置測定機能２０２と写真撮影機能２０１、電子メール作成機能２０３、電子メール送信機能２０４を備えた携帯電話或いはＰＤＡであれば、電子メール８への位置情報及び写真の格納形式をあらかじめプロファイル５０５としてプロファイルデータベース５０４に登録しておくことで、携帯電話会社やＰＤＡの機種を特定することなく、災害情報５１０を登録する手段として用いることができ、また、プロファイルエディタ部５０６を用いることで、新しい携帯電話会社ができた場合や、携帯電話会社を変更した場合、さらには、携帯電話会社が電子メールへの位置情報の格納様式を変更した場合も、システムを改造することなく、新規にプロファイルを作成したり、プロファイルを一部変更するだけで対応できる、柔軟に対応することが可能となる。
【００３３】
換言すれば、携帯電話会社や携帯電話、ＰＤＡの機種にとらわれない災害位置情報管理システム１が構築可能となり、携帯電話の故障等による機種変更や、より安価な携帯電話会社、サービスへの切り替えにも、改造コストを掛けずに柔軟に対応できる。
【００３４】
実施の形態２．
以下、この発明の実施の形態２を、災害位置情報管理システムの他の例を示すブロック図８により説明する。
【００３５】
図８に示すこの発明の実施の形態２は、前述の実施の形態１を示す図２のシステム構成図に、同報メール送信部５１１と同報メールリストデータベース５１２、同報メールリストエディタ部５１４を加えたものである。同報メールリストデータベース５１２では災害情報メールボックス４０１に対応する同報メールリスト５１３を管理するが、メールサーバ４に複数の災害情報用メールボックスを作成し、複数の災害情報用メールボックスのそれぞれに１：１に対応する同報メールリストを持つことが可能である。また、各同報メールリスト５１３に含めるメールアドレスは同報メールリストエディタ部５１４によって自由に編集できるようになっている。
【００３６】
電子メールチェック部５０１が災害情報メールボックス４０１をチェックし、災害情報メール８の受信を確認し、災害情報メール８を取得すると、同報メール送信部５１１は、前記災害情報メール８を取得した災害情報メールボックス４０１に対応する同報メールリスト５１３を同報メールリストデータベース５１２から取得し、電子メールチェック部５０１が取得した前記災害情報メール８を、同報メールリスト５１３に含まれる電子メールアドレスに対して配信する。
【００３７】
前述のように、この発明の実施の形態２は、前述のこの発明の実施の形態１の災害位置情報管理システム１に、さらに、電子メール８を受信し保存する災害情報用メールボックス４０１を前記メールサーバ４に複数個設けると共に、前記災害情報用メールボックス４０１の各々に対して関連付けられた同報メールリスト５１３を用いて、電子メール受信時に同報メールを前記メールリスト５１３の各宛先に送信する同報メール送信部５１１を設けたものである。
換言すれば、この発明の実施の形態２の災害位置情報管理システムは、災害情報電子メール８を受信する災害情報用メールボックス４０１を複数持ち、各々の災害情報用メールボックス４０１に対して、あらかじめ関連付けられた同報メールリストを用いて、災害情報電子メール受信時に同報メールリスト５１３の宛先に同報メールを送信するものである。
【００３８】
このような構成にすることにより、災害に対応する複数の関係者を前記同報メールリスト５１３に登録しておけば、災害発生時に被災現場から災害情報メールが送られて来た際に、複数の関係者に災害の発生や被害の発生をいち早く通知出来ると共に、災害情報も同時に配信できるため、迅速な復旧活動を支援することができる。
【００３９】
換言すれば、災害情報メールが送信された場合に即時に災害状況を把握したいメンバーにも同報メールが配信されるため、災害復旧活動の迅速化が期待できる。
【図面の簡単な説明】
【００４０】
【図１】この発明の実施の形態１を示す図で、災害位置情報管理システムの一例を示すブロック図である。
【図２】この発明の実施の形態１を示す図で、災害位置情報管理システムが使用される状況の事例を示すブロック図である。
【図３】この発明の実施の形態１を示す図で、災害位置情報管理システムの動作の事例を示すフローチャートである。
【図４】この発明の実施の形態１を示す図で、災害位置情報管理システムで使用するプロファイル（profile）の事例を示す図である。
【図５】この発明の実施の形態１を示す図で、災害位置情報管理システムで受信する災害情報メールの事例を示す図である。
【図６】この発明の実施の形態１を示す図で、災害位置情報管理システムで使用する地図・災害情報データベースで管理されている災害情報の事例を示す図である。
【図７】この発明の実施の形態１を示す図で、災害位置情報管理システムの災害情報表示機能で表示される電子地図と災害シンボルの事例を示す図である。
【図８】この発明の実施の形態２を示す図で、災害位置情報管理システムの他の例を示すブロック図である。
【符号の説明】
【００４１】
１    災害位置情報管理システム、
２    携帯電話、
２０１    写真撮影機能、
２０２    位置測定機能、
２０３    電子メール作成機能、
２０４    電子メール送信機能、
３    ファイアウォール、
４    メールサーバ、
４０１    災害情報用メールボックス、
５    災害位置情報管理サーバ、
５０１    電子メールチェック部、
５０２    電子メール添付情報処理部、
５０３    位置情報解析部、
５０４    プロファイルデータベース、
５０５    プロファイル、
５０６    プロファイルエディタ部、
５０７    災害シンボル登録部、
５０８    地図・災害情報データベース、
５０９    電子地図、
５１０    写真・説明文、
５１１    同報メール送信部、
５１２    同報メールリストデータベース、
５１３    同報メールリスト、
５１４    同報メールリストエディタ部、
６    災害情報表示機能、
７    被災現場、
８    災害情報メール、
９    インターネット。
【図１】
2006243778.tif 000003
【図２】
2006243778.tif 000004
【図３】
2006243778.tif 000005
【図４】
2006243778.tif 000006
【図５】
2006243778.tif 000007
【図６】
2006243778.tif 000008
【図７】
2006243778.tif 000009
【図８】
2006243778.tif 000010